(57)【要約】【課題】設定内容を他の撮像装置へ通知することが可能な撮像装置を提供することにある。【解決手段】撮像装置は、モニター画面を有するビューファインダと、映像処理部と、送信部と、を有する。前記映像処理部は、人物判定部と、人物情報取得部と、人物情報送信部と、を有する。前記人物判定部は前記モニター画面に映し出された映像の内の人物を判定する機能を有する。前記人物情報取得部は、前記人物判定部によって判定された人物の人物情報を取得する。前記人物情報送信部は、前記人物情報を、前記送信部を介して送信する。【選択図】図２
2020150529.tif 000002
【特許請求の範囲】
【請求項１】
モニター画面を有するビューファインダと、
映像処理部と、
送信部と、を有し、
前記映像処理部は、
人物判定部と、
人物情報取得部と、
人物情報送信部と、を有し、
前記人物判定部は前記モニター画面に映し出された映像の内の人物を判定する機能を有し、
前記人物情報取得部は、前記人物判定部によって判定された人物の人物情報を取得し、
前記人物情報送信部は、前記人物情報を、前記送信部を介して送信する、撮像装置。
【請求項２】
モニター画面を有するビューファインダと、
映像処理部と、
送信部と、を有し、
前記映像処理部は、
人物判定部と、
人物情報取得部と、
人物情報送信部と、を有し、
前記モニター画面は、タッチパネル機能を有し、
前記人物情報取得部は、さらに、前記モニター画面上において、特定の人物が前記タッチパネル機能によって選択された場合、選択された人物の人物情報を取得し、
前記映像処理部は、さらに、人物情報変更部を有し、
前記人物情報変更部は、前記人物情報取得部により取得された前記人物情報を変更し、
前記人物情報送信部は、前記人物情報変更部によって変更された人物情報を、前記送信部を介して、送信する、撮像装置。
【請求項３】
前記人物情報は、人物の肌の輪郭レベルと、色相と、色相範囲と、のいずれかを少なくとも含む、請求項１または請求項２に記載の撮像装置。
【請求項４】
請求項１または請求項２に記載の撮像装置の複数と、
表示画面を有するコンピュータと、を含み、
前記複数の撮像装置のおのおのから前記人物情報を、前記コンピュータへ送信し、
前記表示画面に、前記複数の撮像装置のおのおのから送信された前記人物情報を表示させる、撮像システム。
【請求項５】
前記コンピュータから前記複数の撮像装置の前記人物情報を変更する、請求項４に記載の撮像システム。
【発明の詳細な説明】
【技術分野】
【０００１】
本開示は、撮像装置および複数の撮像装置を含む撮像システムに関する。
【背景技術】
【０００２】
撮像システムとして、放送用のカメラシステムがある。テレビ放送番組の制作では、撮影スタジオにおいて、複数台の撮像装置（以下、ＴＶカメラともいう）を同時に用いるケースが多い。複数台のＴＶカメラを調整室（ＶＥ室）に設置されているリモート装置（リモートコントロールユニット、ＰＣ）により、遠隔制御し、撮影スタジオ（カメラマン側）で撮影している映像信号（例：色）を調整し放送番組を制作する。また、撮影スタジオ（カメラマン側）では、撮影している背景、人物等の映像をＴＶカメラのビューファインダで確認しながら調整する。放送用の撮像システムでは、撮影している人物の肌（輪郭、色相）を調整する（以下、Skin tone detailと称す）機能があり、ターゲットとなる人物の顔にインジケータを合わせ、リモート装置（リモートコントロールユニット）のメニュー画面で、撮影している人物等の肌の輪郭レベル、色相、しわの輪郭等を確認しながら調整している。
【０００３】
撮像に係る画質調整用の情報を表示するとともに、タッチパネルによって画質を調整できるようにした撮像装置として、特開２０１３−１６２４１２号公報（特許文献１）が提案されている。
【先行技術文献】
【特許文献】
【０００４】
【特許文献１】特開２０１３−１６２４１２号公報
【発明の概要】
【発明が解決しようとする課題】
【０００５】
撮影スタジオ内において、リハーサル時に、人物（例：アナウンサー）の肌の輪郭レベル、色相、しわの輪郭等を調整している。つまり、ターゲットとなる人物の顔にインジケータを合わせ、リモートコントロールユニットのメニュー画面で肌の輪郭レベル、色相等を確かめながら調整している。ターゲットとなる人物を複数台のＴＶカメラで撮影する場合、撮影している人物等の肌の輪郭レベル、色相、しわの輪郭等の設定作業を、複数のＴＶカメラに対して、１つずつ設定する必要があるので、手間が掛かるという課題がある。また、各ＴＶカメラの設定内容が他のＴＶカメラに通知・共有されていない。
【０００６】
本開示の課題は、設定内容を他の撮像装置へ通知することが可能な撮像装置およびそれを用いた撮像システムを提供することにある。
【０００７】
その他の課題と新規な特徴は、本明細書の記述および添付図面から明らかになるであろう。
【課題を解決するための手段】
【０００８】
本開示のうち代表的なものの概要を簡単に説明すれば下記の通りである。
【０００９】
すなわち、撮像装置は、モニター画面を有するビューファインダと、映像処理部と、送信部と、を有する。前記映像処理部は、人物判定部と、人物情報取得部と、人物情報送信部と、を有する。前記人物判定部は前記モニター画面に映し出された映像の内の人物を判定する機能を有する。前記人物情報取得部は、前記人物判定部によって判定された人物の人物情報を取得する。前記人物情報送信部は、前記人物情報を、前記送信部を介して送信する。
【発明の効果】
【００１０】
上記撮像装置よれば、設定内容を他の撮像装置に通知することが可能である。
【図面の簡単な説明】
【００１１】
【図１】図１は、実施例係る撮像システムの構成例を示す図である。
【図２】図２は、実施例に係るＴＶカメラの構成例を示す図である。
【図３】図３は、ＴＶカメラのビューファインダ部のモニター画面の表示例を説明する図である。
【図４】図４は、ＴＶカメラのビューファインダ画面において、人物Ａの顔部分を選択する状態を示す図である。
【図５】図５は、ビューファインダ部のモニター画面において、人物Ａの顔部分が選択された状態を示す図である。
【図６】図６は、肌の輪郭レベルの設定値の編集モードを説明する図である。
【図７】図７は、輪郭レベルの設定値の編集モードを終了した状態を示す図である。
【図８】図８は、人物Ａの選択モードの解除を説明する図である。
【図９】図９は、ＴＶカメラの設定値の変更が、他のＴＶカメラのビューファインダ部の画面に表示された状態を示す図である。
【図１０】図１０は、映像モニターの表示画面の表示例を示す図である。
【図１１】図１１は、コンピュータの表示画面の表示例を示す図である。
【図１２】図１２は、コンピュータの表示画面の表示例を示す図である。
【図１３】図１３は、ベースカメラ選択領域とターゲットカメラ選択領域とを設定した状態を示す図である。
【図１４】図１４は、セットボタンをクリックした後のコンピュータの表示画面の状態を示す図である。
【発明を実施するための形態】
【００１２】
以下、実施形態、および、実施例について、図面を用いて説明する。ただし、以下の説明において、同一構成要素には同一符号を付し繰り返しの説明を省略することがある。なお、図面は説明をより明確にするため、実際の態様に比べ、模式的に表される場合があるが、あくまで一例であって、本発明の解釈を限定するものではない。
【実施例】
【００１３】
図１は、実施例に係る撮像システムの構成例を示す図である。撮像システム１００では、撮影スタジオ（カメラマン側）１に、カメラマンが撮影する複数台の撮像装置（テレビ（ＴＶ）カメラとも言う、）ＣＡＭ１、ＣＡＭ２、ＣＡＭ３が設置される。複数台のＴＶカメラＣＡＭ１、ＣＡＭ２、ＣＡＭ３のおのおのは、レンズ部（撮像部）２と、カメラ本体部３と、ビューファインダ部４と、により構成される。ビューファインダ部４は、カメラマンが撮影した映像を確認するためのモニター画面を有している。ビューファインダ部４のモニター画面はタッチパネル機能を有している。
【００１４】
ＴＶカメラＣＡＭ１、ＣＡＭ２、ＣＡＭ３で撮影された映像は、光ケーブル５により、調整室（ＶＥ側）６に設けられたカメラコントロールユニット７に伝送され、カメラコントロールユニット７から同軸ケーブル１４を介して映像モニター８に出力される。また、ＴＶカメラＣＡＭ１、ＣＡＭ２、ＣＡＭ３やカメラコントロールユニット７の映像は、ネットワークケーブル９およびネットワークルーター１１を介して接続されたリモートコントロールユニット１０、または、コンピュータ（ＰＣ）１２で、カメラ機能（例：色）の調整や設定を行う。リモートコントロールユニット１０やコンピュータ（ＰＣ）１２は、リモート装置とされる。
【００１５】
図２は、実施例に係るＴＶカメラの構成例を示す図である。図２では、ＴＶカメラＣＡＭ１を代表例にとして、ＴＶカメラの構成例を説明する。ＴＶカメラＣＡＭ２、ＣＡＭ３も、図２のＴＶカメラＣＡＭ１と同様な構成とされている。
【００１６】
ＴＶカメラＣＡＭ１は、レンズ部２と、カメラ本体部３と、ビューファインダ部４と、により構成される。カメラ本体部３は、撮像部３０と、映像処理部３１と、送信部３２と、受信部３３と、を有する。
【００１７】
撮像部３０は、撮像素子を含み、レンズ部２により撮影された映像を撮像素子により映像データへ変換し、変換された映像データを映像処理部３１へ入力する。映像処理部３１に入力された映像データは、ビューファインダ部４へ送信され、ビューファインダ部４のモニター画面に映し出される。映像処理部３１に入力された映像データは、また、送信部３２を介して、調整室（ＶＥ側）６に設置されたリモート装置（１０、１２）へも送信される。受信部３３は、リモート装置（１０、１２）から出力された色の設定値を、映像処理部３１へ入力する。なお、色の設定値は、後述される人物情報の設定値である。
【００１８】
映像処理部３１は、人物判定部３１１と、人物情報取得部３１２と、人物情報変更部３１３と、人物情報送信部３１４と、人物情報変更受信部３１５と、人物情報変更設定部３１６と、人物情報変更表示部３１７と、を有する。
【００１９】
人物判定部３１１は、ビューファインダ部４のモニター画面に映し出された映像の内の複数の人物を判定する機能を有する。
【００２０】
人物情報取得部３１２は、人物判定部３１１によって判定された複数の人物のおのおのの人物情報を取得する機能を有する。たとえば、人物情報取得部３１２は、人物判定部３１１が人物を判定した時、当該人物の人物情報を取得する。なお、人物情報取得部３１２は、ビューファインダ部４のモニター画面上において、特定の人物がタッチパネル機能によって選択された時、選択された人物の人物情報を取得するようにしてもよい。ここで、人物情報とは、ビューファインダ部４のモニター画面に映し出された映像の内の人物の肌の輪郭レベル（ＳＫＩＮ  ＤＴＬ  ＬＥＶＥＬ）、色相（ＰＨＡＳＥ）、色相範囲（ＷＩＤＴＨ）等である。
【００２１】
人物情報変更部３１３は、人物情報取得部３１２により取得された人物情報を変更する機能を有する。人物情報送信部３１４は、人物情報取得部３１２により取得された人物情報、および、人物情報変更部３１３によって変更された人物情報を、送信部３２を介して、リモート装置（１０、１２）へ送信する機能を有する。これにより、リモート装置（１０、１２）は、リモート装置（１０、１２）の表示画面に、人物情報を表示することが可能になる。たとえば、ＴＶカメラＣＡＭ１、ＣＡＭ２、ＣＡＭ３が撮影スタジオ１に設置された場合、リモート装置（１０、１２）の表示画面に、ＴＶカメラＣＡＭ１、ＣＡＭ２、ＣＡＭ３のおのおのから送信された３つの人物情報を、一覧的に表示させることができる（たとえば、後述される図１０を参照）。
【００２２】
人物情報変更受信部３１５は、リモート装置（１０、１２）から送信された特定の人物の人物情報を受信部３３から受信する機能を有する。リモート装置（１０、１２）から送信された特定の人物の人物情報は、たとえば、ユーザがリモート装置（１０、１２）から指定した人物に関する人物情報である。人物情報変更受信部３１５が受信した特定の人物の人物情報は、人物情報変更設定部３１６および人物情報変更表示部３１７に供給される。
【００２３】
人物情報変更設定部３１６は、人物情報変更受信部３１５が受信した特定の人物の人物情報に基づいて、映像の内の特定の人物の人物情報を設定および変更する機能を有する。
【００２４】
人物情報変更表示部３１７は、人物情報変更受信部３１５が受信した特定の人物の人物情報に基づいて、ビューファインダ部４のモニター画面に、特定の人物の人物情報が変更された旨を表示ないし通知する。なお、人物情報変更受信部３１５、人物情報変更設定部３１６、および、人物情報変更表示部３１７は、ＴＶカメラＣＡＭ１と異なる他のＴＶカメラＣＡＭ２、または、ＣＡＭ３に設けられた人物情報送信部３１４から送信された特定の人物の人物情報を、ＴＶカメラＣＡＭ１へ設定または反映させる設定作業が行われる場合に、利用することができる。
【００２５】
図３は、ＴＶカメラＣＡＭ１のビューファインダ部４のモニター画面４１の表示例を説明する図である。たとえば、リハーサル時において、撮影スタジオ１内で、同場面で、３台のＴＶカメラＣＡＭ１、ＣＡＭ２、ＣＡＭ３により人物Ａ、Ｂ、Ｃを撮影しており、ＴＶカメラＣＡＭ１、ＣＡＭ２、ＣＡＭ３のビューファインダ部４のモニター画面４１で人物Ａ、Ｂ，Ｃの顔部分をはっきりと確認可能であるものとする。また、ＴＶカメラＣＡＭ１、ＣＡＭ２、ＣＡＭ３の映像機能（例：色等）の設定値は、一例では、工場出荷のデフォルト状態とする。
【００２６】
図３に示す様に、ＴＶカメラＣＡＭ１のビューファインダ部４のモニター画面４１には、人物Ａ、Ｂ、Ｃの顔部分が表示されている。ＴＶカメラＣＡＭ２、ＣＡＭ３のおのおののビューファインダ部４のモニター画面にも、図３に示す様に、人物Ａ、Ｂ、Ｃの顔部分が表示されている。
【００２７】
次に、図４〜図９を用いて、ＴＶカメラＣＡＭ１のビューファインダ部４のモニター画面４１上において、人物Ａの人物情報を変更する方法を説明する。ここでは、一例として、人物Ａの人物情報の内、肌の輪郭レベル（ＳＫＩＮ  ＤＴＬ  ＬＥＶＥＬ）の設定値を変更する方法を説明する。色相（ＰＨＡＳＥ）の設定値の変更や色相範囲（ＷＩＤＴＨ）の設定値の変更も、図４〜図８と同様な技術思想を用いて行うことができる。
【００２８】
図４は、ＴＶカメラのビューファインダ画面で人物Ａの顔部分を選択する状態を示す図である。図４に示す様に、ＴＶカメラＣＡＭ１のビューファインダ部４のモニター画面４１で、タッチパネル機能を利用して、人物Ａの顔部分を選択する。人物Ａの顔部分を選択は、ビューファインダ部４のモニター画面４１において、人物Ａの顔部分を、たとえば、指などで、３秒間程度、タッチ２０することにより行われる。
【００２９】
図５は、ビューファインダ部４のモニター画面４１において、人物Ａの顔部分が選択された状態を示す図である。図４において、人物Ａの顔部分を３秒間程度、タッチ２０することにより、人物Ａが選択状態（選択モード）となる。人物Ａが選択状態となると、図５に示す様に、人物Ａの顔部分を囲む様に点線の四角い枠４Ｓがビューファインダ部４のモニター画面４１に表示される。また、モニター画面４１の左下位置には、人物Ａの映像データにおける肌の輪郭レベル（ＳＫＩＮ  ＤＴＬ  ＬＥＶＥＬ）、色相（ＰＨＡＳＥ）、色相範囲（ＷＩＤＴＨ）のおのおのの設定値を表示する表示領域４２が表示される。表示領域４２の表示は、図２で説明された人物情報取得部３１２によって行われる。表示領域４２には、一例として、対象人物（ＴＡＲＧＥＴ）は人物Ａであり、肌の輪郭レベル（ＳＫＩＮ  ＤＴＬ  ＬＥＶＥＬ）の設定値が１２７であり、色相（ＰＨＡＳＥ）の設定値が９７であり、色相範囲（ＷＩＤＴＨ）の設定値が０（ゼロ）であることが表示されている。
【００３０】
図６は、肌の輪郭レベルの設定値の編集モードを説明する図である。表示領域４２の肌の輪郭レベル（ＳＫＩＮ  ＤＴＬ  ＬＥＶＥＬ）の設定値をタッチにより選択すると、設定値の編集モードとなる。編集モードでは、編集する設定値の右側に、左三角キー４２１および右三角キー４２２が表示される。左三角キー４２１または右三角キー４２２を、指などで、タッチすることで、設定値を変更する。左三角キー４２１を指でタッチすると、設定値は下降する。右三角キー４２２を、指でタッチすると、設定値は上昇する。図６は、左三角キー４２１をタッチし、肌の輪郭レベル（ＳＫＩＮ  ＤＴＬ  ＬＥＶＥＬ）の設定値を、１２７から０（ゼロ）へ変更した状態が示されている。表示領域４２の設定値の編集ないし変更は、図２で説明された人物情報変更部３１３によって行われる。なお、色相（ＰＨＡＳＥ）の設定値の変更や色相範囲（ＷＩＤＴＨ）の設定値の変更も、図６と同様な技術思想を用いることによって行うことが可能である。
【００３１】
図７は、輪郭レベルの設定値の編集モードを終了した状態を示す図である。たとえば、肌の輪郭レベル（ＳＫＩＮ  ＤＴＬ  ＬＥＶＥＬ）の変更後の設定値である０（ゼロ）の表示領域を、指などでタッチすると、編集モードが終了する。
【００３２】
図８は、人物Ａの選択モードの解除を説明する図である。選択モードの解除は、ビューファインダ部４のモニター画面４１に表示された、人物Ａの顔部分を囲む点線の四角い枠４Ｓまたは枠４Ｓの内部の領域を、たとえば、指などで、３秒間程度、タッチ２１することにより行われる。
【００３３】
図９は、ＴＶカメラＣＡＭ１の設定値の変更が、他のＴＶカメラのビューファインダ部のモニター画面に表示された状態を示す図である。つまり、図４〜図８で説明した様に、ＴＶカメラＣＡＭ１において、人物Ａの輪郭レベル（ＳＫＩＮ  ＤＴＬ  ＬＥＶＥＬ）の設定値が変更された場合、ＴＶカメラＣＡＭ２のビューファインダ部４の画面４１２には、ＴＶカメラＣＡＭ１の人物Ａの肌の輪郭レベル（ＳＫＩＮ  ＤＴＬ  ＬＥＶＥＬ）が変更された旨のメッセージ（例:Ｓｋｉｎ Ｔｏｎｅ Ｄｅｔａｉｌ Ｌｅｖｅｌ ｏｆ Ａ ｗａｓ ｃｈａｎｇｅｄ ！ ＣＡＭ Ｎo.1）を表示し、ＴＶカメラＣＡＭ２のカメラマン等に通知する。同様に、ＴＶカメラＣＡＭ３のビューファインダ部４のモニター画面４１にも、メッセージ（例:Ｓｋｉｎ Ｔｏｎｅ Ｄｅｔａｉｌ Ｌｅｖｅｌ ｏｆ Ａ ｗａｓ ｃｈａｎｇｅｄ ！ ＣＡＭ Ｎo.1）が表示され、ＴＶカメラＣＡＭ３のカメラマンにも、ＴＶカメラＣＡＭ１の人物Ａの肌の輪郭レベル（ＳＫＩＮ  ＤＴＬ  ＬＥＶＥＬ）が変更された旨を通知する。この通知は、たとえば、ＴＶカメラＣＡＭ２、ＣＡＭ３に設けられた人物情報変更表示部３１７により行われる。したがって、１台のＴＶカメラ（ＣＡＭ１）の設定情報を他のＴＶカメラ（ＣＡＭ２，ＣＡＭ３）と、共有できる。
【００３４】
図１０は、映像モニターの表示画面の表示例を示す図である。調整室（ＶＥ側）６に設置された映像モニター８の表示画面では、ＴＶカメラＣＡＭ１、ＣＡＭ２、ＣＡＭ３のおのおののビューファインダ部４のモニター画面４１，４１２，４１３を表示可能であり、ＴＶカメラＣＡＭ１、ＣＡＭ２、ＣＡＭ３のモニター画面４１，４１２，４１３を確認することが可能である。図１０には、ＴＶカメラＣＡＭ１のビューファインダ部４のモニター画面４１と、ＴＶカメラＣＡＭ２のビューファインダ部４の画面４１２、ＴＶカメラＣＡＭ３のビューファインダ部４のモニター画面４１３と、が示されている。ＴＶカメラＣＡＭ２、ＣＡＭ３のモニター画面４１２，４１３には、ＴＶカメラＣＡＭ１の人物Ａの肌の輪郭レベル（ＳＫＩＮ  ＤＴＬ  ＬＥＶＥＬ）が変更された旨のメッセージ（例:Ｓｋｉｎ Ｔｏｎｅ Ｄｅｔａｉｌ Ｌｅｖｅｌ ｏｆ Ａ ｗａｓ ｃｈａｎｇｅｄ ！ ＣＡＭ Ｎo.1）が表示されている。
【００３５】
図１１は、コンピュータの表示画面の表示例を示す図である。図１１に示す様に、コンピュータ１２の表示画面には、ＴＶカメラＣＡＭ１のカメラマンが調整した人物Ａの肌の輪郭レベル（ＳＫＩＮ  ＤＴＬ  ＬＥＶＥＬ）の設定値に連動して、グラフ形式１１１による表現で、色の位置１１２が示される。
【００３６】
次に、図１２〜図１４を用いて、コンピュータ１２によって、ＴＶカメラＣＡＭ１の設定値を、ＴＶカメラＣＡＭ２、ＣＡＭ３へ設定するための設定方法を説明する。
【００３７】
図１２は、コンピュータの表示画面の表示例を示す図である。図１２に示す様に、コンピュータ１２の表示画面１２１には、ＴＶカメラＣＡＭ１、ＣＡＭ２、ＣＡＭ３のおのおのの人物Ａの人物情報が示されている。ここで、人物情報は、肌の輪郭レベル（ＳＫＩＮ  ＤＴＬ  ＬＥＶＥＬ）、色相（ＰＨＡＳＥ）、色相範囲（ＷＩＤＴＨ）である。
【００３８】
表示画面１２１は、カメラ番号（ＣＡＭ  Ｎｏ．）の表示領域１２２と、肌の輪郭レベル（ＳＫＩＮ  ＤＴＬ  ＬＥＶＥＬ）の表示領域１２３と、色相（ＰＨＡＳＥ）の表示領域１２４と、色相範囲（ＷＩＤＴＨ）の表示領域１２５と、を有する。
【００３９】
表示領域１２２には、カメラ番号（ＣＡＭ  Ｎｏ．）として、ＴＶカメラＣＡＭ１が１、ＴＶカメラＣＡＭ２が２、ＴＶカメラＣＡＭ３が３、として表示されている。
【００４０】
表示領域１２３には、各ＴＶカメラＣＡＭ１、ＣＡＭ２、ＣＡＭ３に対応して、肌の輪郭レベル（ＳＫＩＮ  ＤＴＬ  ＬＥＶＥＬ）の設定値が表示される。肌の輪郭レベル（ＳＫＩＮ  ＤＴＬ  ＬＥＶＥＬ）の設定値は、一例では、ＴＶカメラＣＡＭ１が０（ゼロ）、ＴＶカメラＣＡＭ２が１２７、ＴＶカメラＣＡＭ２が１２７、として表示されている。なお、ＴＶカメラＣＡＭ１の肌の輪郭レベルの設定値０（ゼロ）は、図６、図７で説明した様に、変更された設定値を示している。
【００４１】
表示領域１２４には、各ＴＶカメラＣＡＭ１、ＣＡＭ２、ＣＡＭ３に対応して、色相（ＰＨＡＳＥ）の設定値が表示される。色相（ＰＨＡＳＥ）の設定値は、一例では、ＴＶカメラＣＡＭ１が９７、ＴＶカメラＣＡＭ２が９７、ＴＶカメラＣＡＭ２が９７、として表示されている。
【００４２】
表示領域１２５には、各ＴＶカメラＣＡＭ１、ＣＡＭ２、ＣＡＭ３に対応して、色相範囲（ＷＩＤＴＨ）の設定値は表示される。色相範囲（ＷＩＤＴＨ）の設定値は、一例では、ＴＶカメラＣＡＭ１が０（ゼロ）、ＴＶカメラＣＡＭ２が０（ゼロ）、ＴＶカメラＣＡＭ２が０（ゼロ）、として表示されている。なお、表示領域１２３、１２４、１２５は設定値の入力領域としても兼用されている。
【００４３】
表示画面１２１は、さらに、ベースとなるＴＶカメラを選択するベースカメラ選択領域（ＳＥＬＥＣＴ ＢＡＳＥ ＣＡＭＥＲＡ）１２６と、ターゲットとなるＴＶカメラを選択するターゲットカメラ選択領域（ＳＥＬＥＣＴ ＴＡＲＧＥＴ ＣＡＭＥＲＡ）１２７と、設定値を反映させるためのセットボタン１２８と、を有する。
【００４４】
図１３は、ベースカメラ選択領域１２６とターゲットカメラ選択領域１２７とを設定した状態を示す図である。ベースカメラ選択領域１２６には、一例では、ベースとなるＴＶカメラとして、ＴＶカメラＣＡＭ１が１として入力されている。ターゲットカメラ選択領域１２７には、一例では、ターゲットとなるＴＶカメラとして、ＴＶカメラＣＡＭ２が２として入力され、ＴＶカメラＣＡＭ３が３として入力されている。この状態において、セットボタン１２８をクリック（押下）すると、ＴＶカメラＣＡＭ２、ＣＡＭ３の肌の輪郭レベル（ＳＫＩＮ  ＤＴＬ  ＬＥＶＥＬ）の設定値（１２７）が、一括的に、ＴＶカメラＣＡＭ１の肌の輪郭レベル（ＳＫＩＮ  ＤＴＬ  ＬＥＶＥＬ）の設定値（０（ゼロ））に合わせられることになる。つまり、１台のＴＶカメラ（ＣＡＭ１）の設定情報を他のＴＶカメラ（ＣＡＭ２、ＣＡＭ３）と共有することができる。
【００４５】
図１４は、セットボタン１２８をクリックした後のコンピュータの表示画面の状態を示す図である。図１４に示す様に、セットボタン１２８をクリックした後では、ＴＶカメラＣＡＭ２、ＣＡＭ３の肌の輪郭レベル（ＳＫＩＮ  ＤＴＬ  ＬＥＶＥＬ）の設定値が０（ゼロ）にされている。これにより、ＴＶカメラＣＡＭ２、ＣＡＭ３の肌の輪郭レベル（ＳＫＩＮ  ＤＴＬ  ＬＥＶＥＬ）の設定値（０（ゼロ））は、ＴＶカメラＣＡＭ１の肌の輪郭レベル（ＳＫＩＮ  ＤＴＬ  ＬＥＶＥＬ）の設定値（０（ゼロ））に一括的に変更することが可能である。なお、色相（ＰＨＡＳＥ）の設定値や色相範囲（ＷＩＤＴＨ）の設定値の変更も、図１２〜図１４と同様な技術思想を用いることによって行うことが可能である。
【００４６】
実施例によれば、以下の効果を得ることができる。
【００４７】
１）撮像装置（ＣＡＭ１、ＣＡＭ２、ＣＡＭ３）はビューファインダ部４と、映像処理部３１と、送信部３２と、を有する。映像処理部３１は、人物判定部３１１と、人物情報取得部３１２と、人物情報送信部３１４と、を有する。人物判定部３１１はビューファインダ部４のモニター画面に映し出された映像の内の複数の人物を判定する機能を有する。人物情報取得部３１２は、人物判定部３１１によって判定された人物の人物情報を取得する機能を有する。人物情報送信部３１４は、人物情報を、送信部３２を介して、調整室（ＶＥ側）６に設けられたリモート装置（１０、１２）へ送信する機能を有する。これにより、リモート装置（１０、１２）の表示画面に、撮像装置からの人物情報を一覧的に表示することが可能になる。
【００４８】
２）人物情報変更受信部３１５は、リモート装置（１０、１２）から送信された特定の人物の人物情報を受信部３３から受信する機能を有する。これにより、撮影している撮像装置の人物情報等の設定内容をリモート装置（１０、１２）から他の撮像装置へ通知することが可能になる。
【００４９】
３）ビューファインダ部４のモニター画面は、タッチパネル機能を有する。人物情報取得部３１２は、また、ビューファインダ部４のモニター画面上において、特定の人物がタッチパネル機能によって選択された場合、選択された対象の人物の人物情報を取得する機能を有する。撮像装置（ＣＡＭ１、ＣＡＭ２、ＣＡＭ３）の映像処理部３１は、さらに、人物情報変更部３１３を有する。人物情報変更部３１３は、ビューファインダ部４のモニター画面上において、人物情報取得部３１２により取得された人物情報を変更させる機能を有する。人物情報送信部３１４は、人物情報変更部３１３によって変更された人物情報を、送信部３２を介して、リモート装置（１０、１２）へ送信する機能を有する。これにより、撮影している撮像装置の人物情報等の設定内容をリモート装置（１０、１２）から他の撮像装置へ通知することが可能になる。このため、１台のＴＶカメラの設定情報を他のＴＶカメラと、共有できる。
【００５０】
４）また、撮影している撮像装置のビューファインダ部４のモニター画面４１上で、ターゲットとなる人物の顔をタッチして、人物の顔を認識させ、ビューファインダ部４のモニター画面４１上で肌の輪郭レベルなどの人物情報を変更可能となる。そのため、撮影している撮像装置のカメラマン、および、調整室（ＶＥ側）６の作業効率を向上させることができる。
【００５１】
５）撮像システムは、上記１）、２）、または３）の複数の撮像装置（ＣＡＭ１、ＣＡＭ２、ＣＡＭ３）と、表示画面を有するコンピュータ１２と、を含む。複数の撮像装置（ＣＡＭ１、ＣＡＭ２、ＣＡＭ３）のおのおのは、各撮像装置の人物情報をコンピュータ１２へ送信する。これにより、コンピュータ１２は、複数の撮像装置（ＣＡＭ１、ＣＡＭ２、ＣＡＭ３）のおのおのから送信された人物情報を、一覧的に、表示画面に表示することができる。
【００５２】
６）上記４）において、コンピュータ１２の表示画面において各撮像装置の人物情報を変更する。これにより、他の撮像装置の人物情報の設定値を、１つの撮像装置の人物情報の設定値の内容へ変更することができる。
【００５３】
以上、本発明者によってなされた発明を実施例に基づき具体的に説明したが、本発明は、上記実施形態および実施例に限定されるものではなく、種々変更可能であることはいうまでもない。
【００５４】
実施例では、ＴＶカメラから人物情報をリモート装置へ送信したが、これに限定されない。ＴＶカメラから送信する情報は、ＴＶカメラによって撮影された人物の顔画像としてもよい。
【００５５】
また、実施例では、人物の人物情報（たとえば、色の情報）をリモート装置へ送信したが、これに限定されない。ＴＶカメラから送信する情報は、料理の色の情報等、物体の色の情報としてもよい。
【符号の説明】
【００５６】
ＣＡＭ１，ＣＡＭ２，ＣＡＭ３：撮像装置（ＴＶカメラ）
３：カメラ本体
３１：映像処理部
３１１：人物判定部
３１２：人物情報取得部
３１３：人物情報変更部
３１４：人物情報送信部
３２：送信部
４：ビューファインダ部
４１：モニター画面
１００：撮像システム
１２：コンピュータ（ＰＣ）
１２１：表示画面
１２２：カメラ番号（ＣＡＭ  Ｎｏ．）の表示領域
１２３：肌の輪郭レベルの表示領域
１２４：色相の表示領域
１２５：色相範囲の表示領域
１２６：ベースカメラ選択領域
１２７：ターゲットカメラ選択領域
１２８：セットボタン
【図１】
2020150529.tif 000003
【図２】
2020150529.tif 000004
【図３】
2020150529.tif 000005
【図４】
2020150529.tif 000006
【図５】
2020150529.tif 000007
【図６】
2020150529.tif 000008
【図７】
2020150529.tif 000009
【図８】
2020150529.tif 000010
【図９】
2020150529.tif 000011
【図１０】
2020150529.tif 000012
【図１１】
2020150529.tif 000013
【図１２】
2020150529.tif 000014
【図１３】
2020150529.tif 000015
【図１４】
2020150529.tif 000016